【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】    シール材料を提供するステップと；
前記シール材料を押し出し成形して有形のシール材料を形成する押し出し形成ステップと；
前記有形のシール材料をカッティングしてシール材料バーを形成するカッティングステップとを含むことを特徴とする、シール材料製のバーを形成する方法。
【請求項２】    前記シール材料がセラミックを含むことを特徴とする請求項１に記載のシール材料バーを形成する方法。
【請求項３】    前記シール材料バーを加熱して前記有機化合物を除去するステップをさらに含むことを特徴とする請求項１又は２に記載のシール材料製のバーを形成する方法。
【請求項４】    前記有形のシール材料が矩形形状であることを特徴とする請求項１乃至３のいずれかに記載のシール材料製のバーを形成する方法。
【請求項５】    前記押し出し成形ステップは、前記シール材料が、制限された開口中を強制的に通過せしめられ、そして、前記制限された開口中を強制的に通過せしめられるときに小型化されて前記有形のシール材料を形成するように、前記シール材料に圧力を印加するステップをさらに含むことを特徴とする請求項１乃至４のいずれかに記載のシール材料製のバーを形成する方法。
【請求項６】    前記有形のシール材料を乾燥させるステップをさらに含むことを特徴とする請求項１乃至５のいずれかに記載のシール材料製のバーを形成する方法。
【請求項７】    前記シール材料をエージングさせるステップと；
空気を前記シール材料から除去するステップとをさらに含むことを特徴とする請求項１乃至６のいずれかに記載のシール材料製のバーを形成する方法。
【請求項８】    前記カッティングステップが、接合部材を有するシール材料製のバーを形成するように前記有形のシール材料を選択的にカッティングするステップをさらに含むことを特徴とする請求項１乃至７のいずれかに記載のシール材料製のバーを形成する方法。
【請求項９】    前記カッティングステップが、接合部材を有するシール材料製のバーを形成するように前記有形のシール材料をスタンピングするステップをさらに含むことを特徴とする請求項１乃至７のいずれかに記載のシール材料製のバーを形成する方法。
【請求項１０】    第１の端と第２の端を有する長尺の本体と；
前記長尺の本体の前記第１の端から伸びる雄の接合部材と；
前記長尺の本体の前記第２の端に近接した雌の接合部材であって、前記雌の接合部材が、対応する雄の接合部材を受容するようになっている、雌の接合部材とを備えることを特徴とするシール材料バー。
【請求項１１】    前記雄の接合部材がペグであり、前記雌の接合部材がスロットであることを特徴とする請求項１０に記載のシール材料バー。
【請求項１２】    前記雄の接合部材が角度付きペグであり、前記雌の接合部材が角度付きスロットであることを特徴とする請求項１０に記載のシール材料バー。
【請求項１３】    前記雄の接合部材が再挿入形の角度付きペグであり、前記雌の接合部材が再挿入形の角度付きスロットであることを特徴とする請求項１０に記載のシール材料バー。
【請求項１４】    第１の端と第２の端を有する長尺の本体と；
前記長尺の本体の前記第１の端から伸びる第１の雄の接合部材と；
前記長尺の本体の前記第２の端から伸びる第２の雄の接合部材とを備え、
いずれかの前記雄の接合部材が角度付きペグであることを特徴とするシール材料バー。
【請求項１５】    前記角度付きペグが、再挿入形の角度付きペグであることを特徴とする請求項１４に記載のシール材料バー。
【請求項１６】    第１の端と第２の端を有する長尺の本体と；
前記長尺の本体の前記第１の端近傍の第１の雌の接合部材と；
前記長尺の本体の前記第２の端近傍の第２の雌の接合部材とを備え、
いずれかの前記雌の接合部材が角度付きスロットであることを特徴とするシール材料バー。
【請求項１７】    前記角度付きスロットが、再挿入形の角度付きスロットであることを特徴とする請求項１６に記載のシール材料バー。
【請求項１８】    前記長尺の本体が矩形の断面形状を有することを特徴とする請求項１０乃至１７のいずれかに記載のシール材料バー。
【請求項１９】    前記長尺の本体が１００万分の３０部以下の有機化合物含有量を有することを特徴とする請求項１０乃至１８のいずれかに記載のシール材料バー。
【請求項２０】    複数のシール材料バーを、フレーム形状を形成するように配置するステップと；
前記シール材料バーを、シール材料フレームを形成するように加熱するステップとを含むシール材料フレームを形成する方法であって、
隣り合ったシール材料バー間にガラス製フリットスラリーを配置するステップをさらに含み、前記加熱するステップにおいて、前記ガラス製フリットスラリーが、加熱され、前記シール材料バーに先立って融解し、これによって、前記シール材料バーを所定の位置に保持することを特徴とするシール材料フレームを形成する方法。
【請求項２１】    前記複数のシール材料バーが、前記フレーム形状を形成するように各端に近接して形成された接合部材を有し、前記複数の材料バーのうちの隣り合ったバーの前記接合部材が、前記複数のシール材料バーを前記フレーム形状に保持するように係合することを特徴とする請求項２０に記載のシール材料フレームを形成する方法。
【請求項２２】    前記接合部材が雌の接合部材と雄の接合部材とを備え、前記雌の接合部材が前記雄の接合部材と組み合うように構成され、また、前記雄の接合部材がペグであり、前記雌の部材がスロットであることを特徴とする、請求項２１に記載のシール材料フレームを形成する方法。
【請求項２３】    前記接合部材が雌の接合部材と雄の接合部材とを備え、前記雌の接合部材が前記雄の接合部材と組み合うように構成されており、そして、前記雄の接合部材が角度付きペグであり、前記雌の接合部材が角度付きスロットであることを特徴とする請求項２１に記載のシール材料フレームを形成する方法。
【請求項２４】    前記角度付きペグが、再挿入形の角度付きペグであり、前記角度付きスロットが、再挿入形の角度付きスロットであることを特徴とする請求項２３に記載のシール材料フレームを形成する方法。
【請求項２５】    各々が接合部材を有する複数のシール材料バーを提供するステップと；
各々が、前記複数のシール材料バーの前記接合部材と組み合うようにその内部に形成された接合部材を有する、複数のシール材料コーナー片を提供するステップと；
前記複数のシール材料バーと前記複数のシール材料コーナー片を、フレーム形状を形成するように配置するステップと；
前記シール材料バーと前記シール材料コーナー片を、シール材料フレームを形成するように加熱するステップとを含むシール材料フレームを形成する方法であって、
前記配置するステップは、前記複数のシール材料バーの接合部材が、前記複数のシール材料コーナー片の接合部材と係合して、前記シール材料コーナー片と前記シール材料バーを前記フレーム形状に保持するステップを有することを特徴とするシール材料フレームを形成する方法。
【請求項２６】    ａ）シール材料バーを提供するステップと；
ｂ）前記シール材料バーを加熱するステップと；
ｃ）前記シール材料バーを、フレーム形状にするように屈曲するステップとを含むことを特徴とするシール材料フレームを形成する方法。
【請求項２７】    ステップｂ）が、前記シール材料バーの一部を局所的に加熱するステップをさらに含むことを特徴とする請求項２６に記載のシール材料フレームを形成する方法。
【請求項２８】    ステップｃ）が、局所的に加熱された前記シール材料バーを屈曲するステップをさらに含むことを特徴とする請求項２６又は２７に記載のシール材料フレームを形成する方法。
【請求項２９】    前記シール材料バーが第１の端と第２の端を有し、前記方法が、ｄ）前記第１の端と前記第２の端を加熱して、前記端１の端を前記第２の端に接合するステップをさらに含むことを特徴とする請求項２６乃至２８のいずれかに記載のシール材料フレームを形成する方法。
【請求項３０】    前記シール材料バーが第１の端と第２の端を有し；前記加熱ステップが、前記シール材料バーを局所的に加熱して、第１の被加熱領域を形成するステップを含み；フレーム形状にする前記屈曲ステップが：
前記シール材料バーを屈曲させて、前記第１の被加熱領域にコーナーを形成するステップと；
前記シール材料バーを局所的に加熱して、第２の被加熱領域を形成するステップと；
前記シール材料バーを屈曲させて、前記第２の被加熱領域にコーナーを形成するステップと；
前記シール材料バーを局所的に加熱して、第３の被加熱領域を形成するステップと；
前記シール材料バーを屈曲させて、前記第３の被加熱領域にコーナーを形成するステップと；
前記シール材料バーを局所的に加熱して、第４の被加熱領域を形成するステップと；
前記シール材料バーを屈曲させて、前記第４の被加熱領域にコーナーを形成するステップと；
前記シール材料バーを加熱して、前記シール材料バーの前記第１の端と前記第２の端を接合するステップとを含むことを特徴とする請求項２６に記載のシール材料フレームを形成する方法。
【請求項３１】    シール材料を提供するステップと；
前記シール材料を中空の矩形形状に押し出し成形して、有形のシール材料を形成するステップと；
前記有形のシール材料をカッティングしてフレーム形状にするステップとを含むことを特徴とするシール材料フレームを形成する方法。
【請求項３２】    前記フレーム形状のシール材料を研磨して、所望の厚さを有するシール材料フレームを形成するステップをさらに含むことを特徴とする請求項３１に記載のシール材料フレームを形成する方法。
【請求項３３】    前記シール材料がさらにガラス製フリットを含み、フレーム形状にする前記方法が、前記有形のシール材料を乾燥させるステップをさらに含むことを特徴とする請求項３１又は３２に記載のシール材料フレームを形成する方法。
【請求項３４】    前記シール材料がさらにガラス製フリットを含み、フレーム形状にする前記方法が、前記フレーム形状のシール材料を加熱して有機化合物を除去するステップをさらに含むことを特徴とする請求項３１乃至３３のいずれかに記載のシール材料フレームを形成する方法。
【請求項３５】    前記シール材料がセラミック材料をさらに含むことを特徴とする請求項３１乃至３４のいずれかに記載のシール材料フレームを形成する方法。
【請求項３６】    シール材料バーを提供するステップと；
複数のクランプを用いて前記シール材料バーを締め付けてフレーム形状にするステップと；
前記クランプを加熱して、隣り合ったシール材料バーを接合してシール材料フレームにするステップとを含むことを特徴とするシール材料フレームを形成する方法。
【請求項３７】    各端に近接して形成された接合部材を有する複数のシール材料バーが、互いに隣り合ったシール材料バーの前記接合部材がフレーム形状に保持するように係合するシール材料フレームであって、
前記接合部材が雌の接合部材と雄の接合部材とを備え、前記雌の接合部材が前記雄の接合部材と組み合うように構成されており、そして、前記雄の接合部材が角度付きペグであり、前記雌の接合部材が角度付きスロットであることを特徴とするシール材料フレーム。
【請求項３８】    内部に形成された接合部材を有する複数のシール材料バーと；
前記シール材料バーの前記接合部材と組み合うように構成され、内部に形成された接合部材を有する複数のシール材料コーナー片であって、前記複数のシール材料コーナー片のそれぞれが、前記複数のシール材料バーのそれぞれとフレーム形状を形成するようにカップリングされている、前記複数のシール材料コーナー片とを備えることを特徴とするシール材料フレーム。
【請求項３９】    前記接合部材が雌の接合部材と雄の接合部材とを備え、前記雌の接合部材が前記雄の接合部材と組み合うように構成され、また、前記雄の接合部材がペグであり、前記雌の部材がスロットであることを特徴とする請求項３８に記載のシール材料フレーム。
【請求項４０】    前記接合部材が雌の接合部材と雄の接合部材とを備え、前記雌の接合部材が前記雄の接合部材と組み合うように構成されており、そして、前記雄の接合部材が角度付きペグであり、前記雌の接合部材が角度付きスロットであることを特徴とする、シール材料フレームを形成する請求項３８に記載のシール材料フレーム。
【請求項４１】    前記角度付きペグが、再挿入形の角度付きペグであり、前記角度付きスロットが、再挿入形の角度付きスロットであることを特徴とする請求項４０に記載のシール材料フレーム。
【請求項４２】    ａ）上に配置された発光性材料を有するアクティブ領域を含むフェースプレートを形成するステップと；
ｂ）電子放出構造体を含むアクティブ領域を含むバックプレートを形成するステップと；
ｃ）前記バックプレートと前記フェースプレートとの間に複数のシール材料バーを配置し、もって、前記複数のシール材料バーが、前記バックプレートの前記アクティブ領域の周りと前記フェースプレートの前記アクティブ領域の周りとに配置される、ステップと；
ｄ）隣り合ったシール材料バー間にガラス製フリットスラリーを配置するステップと；
ｅ）前記シール材料バーと前記ガラス製フリットスラリーを加熱し、もって、前記ガラス製フリットが前記フェースプレートを前記バックプレートに結合させてエンクロージャを形成するステップと；
ｆ）前記エンクロージャを真空排気するステップと；
ｇ）前記エンクロージャを密封するステップとを含むことを特徴とする薄型平坦パネルディスプレイを形成する方法。
【請求項４３】    ａ）上に配置された発光性材料を有するアクティブ領域を含むフェースプレートを形成するステップと；
ｂ）電子放出構造体を含むアクティブ領域を含むバックプレートを形成するステップと；
ｃ）接合部材を含む複数のシール材料バーを、前記接合部材が組み合わされるように配置するステップであって、前記複数のシール材料バーが前記バックプレートの前記アクティブ領域の周りと前記フェースプレートの前記アクティブ領域の周りとに配置される前記ステップと；
ｄ）前記シール材料バーを、前記シール材料バーが融解して、前記フェースプレートを前記バックプレートに結合し、もって、エンクロージャを含むディスプレイアセンブリを形成するように加熱するステップと；
ｅ）前記ディスプレイアセンブリの前記エンクロージャを真空排気するステップと；
ｆ）前記ディスプレイアセンブリの前記エンクロージャを密封するステップとを備えることを特徴とする薄型平坦パネルディスプレイを形成する方法。
【請求項４４】    ａ）発光性材料を上に配置したアクティブ領域を含むフェースプレートを形成するステップと；
ｂ）電子放出構造体を含むアクティブ領域を含むバックプレートを形成するステップと；
ｃ）シール材料フレームを、前記シール材料フレームが前記バックプレートの前記アクティブ領域の周りと前記フェースプレートの前記アクティブ領域の周りとに配置されるように配置するステップと；
ｄ）前記シール材料フレームを、前記シール材料フレームが融解して、前記フェースプレートを前記バックプレートに結合し、もって、エンクロージャを含むディスプレイアセンブリを形成するように加熱するステップと；
ｅ）前記ディスプレイアセンブリの前記エンクロージャを真空排気するステップと；
ｆ）前記ディスプレイアセンブリの前記エンクロージャを密封するステップとを含むことを特徴とする薄型平坦パネルディスプレイを形成する方法。